(57)【要約】【課題】時間軸誤差検出装置において、水平同期信号のパルスの後縁を用いて時間軸誤差を検出する場合に、誤った誤差情報を出力しないスレッショルド演算装置を提供することを目的とする。【解決手段】ペデスタル平均値算出回路１０３、シンクチップ平均値算出回路１０４と誤判別防止回路２０２を備え、この誤判別防止回路２０２によって出力信号を選択する選択回路１０８は、ペデスタル平均値とシンクチップ平均値の中間値をスレッショルド値として出力する際に、ペデスタル平均値、シンクチップ平均値が正常値であるかどうかを判断して正常値であると判断すれば中間値を出力して、異常値と判断すれば擬似中間値を出力する。フィールドの最終ラインでは算出された中間値が異常と判断されるので画面上で映像が右に伸びることが無く、誤動作を防ぐことが出来る。【選択図】図１
2006140540.tif 000002
【特許請求の範囲】
【請求項１】
１水平期間内の時間軸変動を補正する時間軸誤差検出装置において時間軸誤差の演算に使用するスレッショルド値を出力するスレッショルド演算装置であって、
入力される水平同期検出信号を基準として入力されるディジタル映像信号のペデスタル部を規定するペデスタルウインドウ信号を生成するペデスタルウインドウ生成手段と、
前記水平同期検出信号を基準として前記ディジタル映像信号のシンクチップ部を規定するシンクチップウインドウ信号を生成するシンクチップウインドウ生成手段と、
前記ペデスタルウインドウ信号を用いて前記ディジタル映像信号のペデスタル部平均値を算出するペデスタル平均値算出手段と、
前記シンクチップウインドウ信号を用いて前記ディジタル映像信号のペデスタル部平均値を算出するシンクチップウインドウ平均値算出手段と、
前記ペデスタル部平均値と前記シンクチップ部平均値の中間値を算出する中間値算出手段と、
ペデスタル部平均値と前記シンクチップ部平均値のうちの少なくとも前記シンクチップ部平均値を評価する誤検出防止手段と、
前記誤検出防止手段の出力により前記中間値もしくは前記中間値に基づく擬似中間値を選択してこれをスレッショルド値として出力する選択手段と
を備えたスレッショルド演算装置。
【請求項２】
前記擬似中間値は、１ライン前の中間値である請求項１記載のスレッショルド演算装置。
【請求項３】
前記誤検出防止手段は、前記シンクチップ平均値が第１の所定値と比較して大きい場合に前記シンクチップ平均値が間違っていると判断して選前記択手段に擬似中間値を出力するように指示する判定手段を有している
請求項２記載のスレッショルド演算装置。
【請求項４】
１水平期間内の時間軸変動を補正する時間軸誤差検出装置において時間軸誤差の演算に使用するスレッショルド値を出力するスレッショルド演算装置であって、
入力される水平同期検出信号を基準として入力されるディジタル映像信号のペデスタル部を規定するペデスタルウインドウ信号を生成するペデスタルウインドウ生成手段と、
前記水平同期検出信号を基準として前記ディジタル映像信号のシンクチップ部を規定するシンクチップウインドウ信号を生成するシンクチップウインドウ生成手段と、
前記ペデスタルウインドウ信号を用いて前記ディジタル映像信号のペデスタル部平均値を算出するペデスタル平均値算出手段と、
前記シンクチップウインドウ信号を用いて前記ディジタル映像信号のペデスタル部平均値を算出するシンクチップウインドウ平均値算出手段と、
前記ペデスタル部平均値と前記シンクチップ部平均値の中間値を算出する中間値算出手段と、
前記ペデスタル部平均値と前記シンクチップ部平均値の値を評価する誤検出防止手段と、
前記誤検出防止手段の出力により前記中間値もしくは前記中間値に基づく擬似中間値を選択してこれをスレッショルド値として出力する選択手段と
を設け、前記誤検出防止手段は、
前記ペデスタル平均値と前記シンクチップ平均値との差分の絶対値を算出する差分算出手段と、
前記差分値が第２の所定値と比較して小さい場合に前記ペデスタル平均値または前記シンクチップ平均値が間違っていると判断して前記選択手段に擬似中間値を出力するように指示する判定手段を有している
スレッショルド演算装置。
【請求項５】
１水平期間内の時間軸変動を補正する時間軸誤差検出装置において時間軸誤差の演算に使用するスレッショルド値を出力するスレッショルド演算装置であって、
入力される水平同期検出信号を基準として入力されるディジタル映像信号のペデスタル部を規定するペデスタルウインドウ信号を生成するペデスタルウインドウ生成手段と、
前記水平同期検出信号を基準として前記ディジタル映像信号のシンクチップ部を規定するシンクチップウインドウ信号を生成するシンクチップウインドウ生成手段と、
前記ペデスタルウインドウ信号を用いて前記ディジタル映像信号のペデスタル部平均値を算出するペデスタル平均値算出手段と、
前記シンクチップウインドウ信号を用いて前記ディジタル映像信号のペデスタル部平均値を算出するシンクチップウインドウ平均値算出手段と、
前記ペデスタル部平均値と前記シンクチップ部平均値の中間値を算出する中間値算出手段と、
前記ペデスタル部平均値と前記シンクチップ部平均値の値を評価する誤検出防止手段と、
前記誤検出防止手段の出力により前記中間値もしくは前記中間値に基づく擬似中間値を選択してこれをスレッショルド値として出力する選択手段と
を設け、前記誤検出防止手段は、
前記ペデスタル平均値と前記シンクチップ平均値との差分の絶対値を算出する差分算出手段と、
前記差分値が第２の所定値と比較して小さい場合もしくは第３の所定値と比較して大きい場合に前記ペデスタル平均値または前記シンクチップ平均値が間違っていると判断して前記選択手段に擬似中間値を出力するように指示する判定手段とを有している
スレッショルド演算装置。
【請求項６】
１水平期間内の時間軸変動を補正する時間軸誤差検出装置において時間軸誤差の演算に使用するスレッショルド値を出力するスレッショルド演算装置であって、
入力される水平同期検出信号を基準として入力されるディジタル映像信号のペデスタル部を規定するペデスタルウインドウ信号を生成するペデスタルウインドウ生成手段と、
前記水平同期検出信号を基準として前記ディジタル映像信号のシンクチップ部を規定するシンクチップウインドウ信号を生成するシンクチップウインドウ生成手段と、
前記ペデスタルウインドウ信号を用いて前記ディジタル映像信号のペデスタル部平均値を算出するペデスタル平均値算出手段と、
前記シンクチップウインドウ信号を用いて前記ディジタル映像信号のペデスタル部平均値を算出するシンクチップウインドウ平均値算出手段と、
前記ペデスタル部平均値と前記シンクチップ部平均値の中間値を算出する中間値算出手段と、
前記ペデスタル部平均値と前記シンクチップ部平均値の値を評価する誤検出防止手段と、
前記誤検出防止手段の出力により前記中間値もしくは前記中間値に基づく擬似中間値を選択してこれをスレッショルド値として出力する選択手段と
を設け、前記誤検出防止手段は、
前記ペデスタル平均値と前記シンクチップ平均値との差分の絶対値を算出する差分算出手段と、
前記差分値が第２の所定値と比較して小さい場合もしくは第３の所定値と比較して大きい場合であり且つ前記シンクチップ平均値が第１の所定値より大きい場合に前記ペデスタル平均値または前記シンクチップ平均値が間違っていると判断して前記選択手段に擬似中間値を出力するように指示する判定手段と
を有している
スレッショルド演算装置。
【発明の詳細な説明】
【技術分野】
【０００１】
本発明は、ビデオテープレコーダ（以下、ＶＴＲと略記する）による再生信号など同期信号を有するアナログ信号における時間軸変動を補正する時間軸誤差補正装置においてその時間軸変動を検出するための時間軸誤差検出回路に関するものである
【背景技術】
【０００２】
一般に、ＶＴＲからの再生信号にはヘッド・ドラムシリンダの回転速度のむらなどにより、時間軸変動が発生する。
この時間軸変動は画質劣化を引き起こす要因となるため、この時間軸変動に起因する画質劣化を改善する手段として、時間軸誤差補正装置（タイムベースコレクタ）が設けられている。
【０００３】
この時間軸誤差補正装置の一方法として下記（特許文献１）に開示されている１水平期間（１Ｈ）に生じる速い周波数変動成分（ベロシティーエラー）を補正するベロシティーエラー補正がある。
【０００４】
この時間軸補正装置を用いて時間軸補正を行うためには、時間軸誤差の検出が必要であり、ベロシティーエラーを考慮することで検出精度が高くなる。これらについて、（特許文献１）の中で時間軸誤差検出手段として開示されているものがある。
【０００５】
従来の時間軸誤差検出装置の一例を図１０に基づいて説明する。
５０は一定の標本化間隔で標本化されたディジタル映像信号が入力されるディジタル映像信号入力端子、５１は同期分離により分離された水平同期検出信号が入力される水平同期検出信号入力端子、５２は時間軸変動を算出する時間軸誤差演算回路、５３は保持回路、５４は１Ｈ期間の変動量であるベロシティーエラーを検出するベロシティーエラー検出回路、５５はクロック入力端子、５６は１Ｈ期間をカウントするカウンタ回路、５７，５８は第１，第２の遅延回路、５９はクロック入力端子５５から入力されるクロック周波数に対する１Ｈ期間のクロック数、６０は除算器、６１，６３は加算器、６２はフリップフロップ回路、６４は時間軸誤差情報出力端子、６５はスレッショルド演算装置である。
【０００６】
水平同期検出信号入力端子５１とディジタル映像信号入力端子５０から水平同期検出信号とディジタル映像信号が入力された時間軸誤差演算回路５２では、水平同期信号が検出されたときに１クロック以下の時間軸変動Ｅｎが検出される。このその様子を図１１に示す。スレッショルドレベルＳＬは、スレッショルド演算装置６５においてディジタル映像信号と水平同期検出信号とから算出される。
【０００７】
ベロシティーエラー検出器５４には、時間軸変動Ｅｎと１Ｈ遅延回路５３の出力である１Ｈ前の時間軸変動Ｅａとが入力される。
一方、カウンタ５６では、クロック入力端子５５から入力されるクロックと水平同期検出信号入力端子５１から入力される同期検出信号とを用いて、時間軸変動Ｅａが検出されてから時間軸変動Ｅｎが検出されるまでのクロック数をカウントして、そのカウント値ｋをベロシティーエラー検出器５４に入力する。
【０００８】
ベロシティーエラー検出器５４では、この時間ｋおよび時間軸変動Ｅａ，Ｅｎを用いて、この１Ｈの時間Ｈｅを以下の式で求める。
Ｈｅ  ＝  （１−Ｅａ）＋ｋ＋Ｅｎ
そして、正確な１Ｈの時間Ｈｔに対するＨｅの時間から時間軸誤差Ｔｅが求められ、ベロシティーエラー検出器５４から出力される。
【０００９】
Ｔｅ  ＝  Ｈｔ−Ｈｅ
時間軸変動Ｅａと時間軸誤差Ｔｅとは、各々第１，第２の遅延器５７，５８に入力され所定の遅延を受ける。その後、第１，第２の遅延器５７，５８の出力は、除算器６０，加算器６１，６３およびフリップフロップ回路６２により次式の処理が行われて時間軸誤差情報ＥＯＵＴが求められる。
【００１０】
Ｅｏｕｔ  ＝  Ｅａ＋（Ｔｅ／Ｈｔ）・ｊ
ただし、ｊは０〜（Ｈｔ−１）である。
スレッショルド演算装置６５の構成を図１２を用いて説明する。
【００１１】
１０１はペデスタル部を規定するペデスタルウインドウ生成回路、１０２はシンクチップ部を規定するシンクチップウインドウ生成回路、１０３はディジタル映像信号のペデスタル部平均値を算出するペデスタル平均値算出回路、１０４はシンクチップ部平均値を算出するシンクチップ平均値算出回路、１０５，１０６はペデスタル部とシンクチップ部の中間値を算出する演算回路を構成する加算回路１０５と除算回路１０６である。
【００１２】
図１３はペデスタルウインドウ生成回路１０１から出力されるペデスタルウインドウ信号とペデスタルウインドウ生成回路１０２から出力されるペデスタルウインドウ信号の信号タイミングを示している。
【００１３】
シンクチップウインドウ信号は水平同期検出信号の立ち上がりエッジ位置を基準にディジタル映像信号のシンクチップ位置に生成される。ペデスタルウインドウ信号は水平同期検出信号の立下りエッジ位置を基準にディジタル映像信号のペデスタル位置に生成される。
【００１４】
シンクチップ平均値算出回路１０４は、シンクチップウインドウ信号部分においてディジタル映像信号のシンクチップ値の平均値を出力する。またペデスタル平均値算出回路１０３は、ペデスタルウインドウ信号部分においてディジタル映像信号のペデスタル値の平均値を出力する。更に加算回路１０５と除算回路１０６によりペデスタル部平均値とシンクチップ部平均値の中間値を算出後、スレッショルド値ＳＬとして出力している。
【特許文献１】特開平３−２７３７８２号公報
【発明の開示】
【発明が解決しようとする課題】
【００１５】
一般に、ＶＴＲの再生信号に含まれる水平同期信号は、テープへの記録・再生信号処理の影響を受けてエッジが鈍る。特に、立ち上がりエッジよりも立下りエッジが鈍る傾向にあり、精度のよい時間軸補正を行う場合には、水平同期信号の立ち上がりエッジを用いる場合が多い。ところがこの場合、次のような問題がある。
【００１６】
図１４はフィールドの最終ライン付近の映像信号を示しており、フィールドの最終ラインの映像信号の後には等価パルスが続いている。等価パルスは本来の水平同期信号のパルスよりも幅が狭いので、これらのパルスの後縁である立ち上がりエッジで時間軸誤差検出を行う場合には、パルス幅の差が時間軸誤差として扱われ、求められる期間Ｈｅに反映されてしまう。
【００１７】
つまり、等価パルスを含む期間においては誤ったベロシティエラー検出を行ってしまい、時間軸誤差を正しく検出することが出来ないという問題がある。この場合に求められた１Ｈの時間Ｈｅを用いて映像信号の時間軸補正を行うと、１Ｈの時間Ｈｅの映像信号を、本来検出されるべき１Ｈの期間Ｈｅａの信号となるように時間軸方向に伸長することになる。すると、画面上では映像が右に伸びたように見え、視覚的に良くない映像となってしまう。
【００１８】
本発明は、時間軸誤差検出装置において、水平同期信号のパルスの後縁を用いて時間軸誤差を検出する場合に、誤った誤差情報を出力しないスレッショルド演算装置を提供することを目的とする。
【課題を解決するための手段】
【００１９】
本発明の請求項１記載のスレッショルド演算装置は、１水平期間内の時間軸変動を補正する時間軸誤差検出装置において時間軸誤差の演算に使用するスレッショルド値を出力するスレッショルド演算装置であって、入力される水平同期検出信号を基準として入力されるディジタル映像信号のペデスタル部を規定するペデスタルウインドウ信号を生成するペデスタルウインドウ生成手段と、前記水平同期検出信号を基準として前記ディジタル映像信号のシンクチップ部を規定するシンクチップウインドウ信号を生成するシンクチップウインドウ生成手段と、前記ペデスタルウインドウ信号を用いて前記ディジタル映像信号のペデスタル部平均値を算出するペデスタル平均値算出手段と、前記シンクチップウインドウ信号を用いて前記ディジタル映像信号のペデスタル部平均値を算出するシンクチップウインドウ平均値算出手段と、前記ペデスタル部平均値と前記シンクチップ部平均値の中間値を算出する中間値算出手段と、前記ペデスタル部平均値と前記シンクチップ部平均値のうちの少なくとも前記シンクチップ部平均値を評価する誤検出防止手段と、前記誤検出防止手段の出力により前記中間値もしくは前記中間値に基づく擬似中間値を選択してこれをスレッショルド値として出力する選択手段とを備えたことを特徴とする。
【００２０】
本発明の請求項２記載のスレッショルド演算装置は、請求項１において、前記擬似中間値は、１ライン前の中間値であることを特徴とする。
本発明の請求項３記載のスレッショルド演算装置は、請求項２において、前記誤検出防止手段は、前記シンクチップ平均値が第１の所定値と比較して大きい場合に前記シンクチップ平均値が間違っていると判断して選前記択手段に擬似中間値を出力するように指示する判定手段を有していることを特徴とする。
【００２１】
本発明の請求項４記載のスレッショルド演算装置は、水平期間内の時間軸変動を補正する時間軸誤差検出装置において時間軸誤差の演算に使用するスレッショルド値を出力するスレッショルド演算装置であって、入力される水平同期検出信号を基準として入力されるディジタル映像信号のペデスタル部を規定するペデスタルウインドウ信号を生成するペデスタルウインドウ生成手段と、前記水平同期検出信号を基準として前記ディジタル映像信号のシンクチップ部を規定するシンクチップウインドウ信号を生成するシンクチップウインドウ生成手段と、前記ペデスタルウインドウ信号を用いて前記ディジタル映像信号のペデスタル部平均値を算出するペデスタル平均値算出手段と、前記シンクチップウインドウ信号を用いて前記ディジタル映像信号のペデスタル部平均値を算出するシンクチップウインドウ平均値算出手段と、前記ペデスタル部平均値と前記シンクチップ部平均値の中間値を算出する中間値算出手段と、前記ペデスタル部平均値と前記シンクチップ部平均値の値を評価する誤検出防止手段と、前記誤検出防止手段の出力により前記中間値もしくは前記中間値に基づく擬似中間値を選択してこれをスレッショルド値として出力する選択手段とを設け、前記誤検出防止手段は、前記ペデスタル平均値と前記シンクチップ平均値との差分の絶対値を算出する差分算出手段と、前記差分値が第２の所定値と比較して小さい場合に前記ペデスタル平均値または前記シンクチップ平均値が間違っていると判断して前記選択手段に擬似中間値を出力するように指示する判定手段を有していることを特徴とする。
【００２２】
本発明の請求項５記載のスレッショルド演算装置は、１水平期間内の時間軸変動を補正する時間軸誤差検出装置において時間軸誤差の演算に使用するスレッショルド値を出力するスレッショルド演算装置であって、入力される水平同期検出信号を基準として入力されるディジタル映像信号のペデスタル部を規定するペデスタルウインドウ信号を生成するペデスタルウインドウ生成手段と、前記水平同期検出信号を基準として前記ディジタル映像信号のシンクチップ部を規定するシンクチップウインドウ信号を生成するシンクチップウインドウ生成手段と、前記ペデスタルウインドウ信号を用いて前記ディジタル映像信号のペデスタル部平均値を算出するペデスタル平均値算出手段と、前記シンクチップウインドウ信号を用いて前記ディジタル映像信号のペデスタル部平均値を算出するシンクチップウインドウ平均値算出手段と、前記ペデスタル部平均値と前記シンクチップ部平均値の中間値を算出する中間値算出手段と、前記ペデスタル部平均値と前記シンクチップ部平均値の値を評価する誤検出防止手段と、前記誤検出防止手段の出力により前記中間値もしくは前記中間値に基づく擬似中間値を選択してこれをスレッショルド値として出力する選択手段とを設け、前記誤検出防止手段は、前記ペデスタル平均値と前記シンクチップ平均値との差分の絶対値を算出する差分算出手段と、前記差分値が第２の所定値と比較して小さい場合もしくは第３の所定値と比較して大きい場合に前記ペデスタル平均値または前記シンクチップ平均値が間違っていると判断して前記選択手段に擬似中間値を出力するように指示する判定手段とを有していることを特徴とする。
【００２３】
本発明の請求項６記載のスレッショルド演算装置は、１水平期間内の時間軸変動を補正する時間軸誤差検出装置において時間軸誤差の演算に使用するスレッショルド値を出力するスレッショルド演算装置であって、入力される水平同期検出信号を基準として入力されるディジタル映像信号のペデスタル部を規定するペデスタルウインドウ信号を生成するペデスタルウインドウ生成手段と、前記水平同期検出信号を基準として前記ディジタル映像信号のシンクチップ部を規定するシンクチップウインドウ信号を生成するシンクチップウインドウ生成手段と、前記ペデスタルウインドウ信号を用いて前記ディジタル映像信号のペデスタル部平均値を算出するペデスタル平均値算出手段と、前記シンクチップウインドウ信号を用いて前記ディジタル映像信号のペデスタル部平均値を算出するシンクチップウインドウ平均値算出手段と、前記ペデスタル部平均値と前記シンクチップ部平均値の中間値を算出する中間値算出手段と、前記ペデスタル部平均値と前記シンクチップ部平均値の値を評価する誤検出防止手段と、前記誤検出防止手段の出力により前記中間値もしくは前記中間値に基づく擬似中間値を選択してこれをスレッショルド値として出力する選択手段とを設け、前記誤検出防止手段は、前記ペデスタル平均値と前記シンクチップ平均値との差分の絶対値を算出する差分算出手段と、前記差分値が第２の所定値と比較して小さい場合もしくは第３の所定値と比較して大きい場合であり且つ前記シンクチップ平均値が第１の所定値より大きい場合に前記ペデスタル平均値または前記シンクチップ平均値が間違っていると判断して前記選択手段に擬似中間値を出力するように指示する判定手段とを有していることを特徴とする。
【発明の効果】
【００２４】
本発明の請求項１に記載のスレッショルド演算装置を含む時間軸誤差検出装置によれば、ペデスタル平均値算出手段、シンクチップ平均値算出手段を備え、ペデスタル平均値とシンクチップ平均値の中間値をスレッショルド値として出力する際に、ペデスタル平均値、シンクチップ平均値が正常値であるかどうかを判断して正常値であると判断すれば中間値を出力して、異常値と判断すれば擬似中間値を出力する。フィールドの最終ラインでは算出された中間値が異常と判断されるので画面上で映像が右に伸びることが無く、誤動作を防ぐことが出来る。
【００２５】
また本発明の請求項２に記載のスレッショルド演算装置を含む時間軸誤差検出装置によれば、擬似中間値に１Ｈ前に算出された中間値を使用することにより時間的に一番近いスレッショルド値を用いるので、擬似中間値が選択された場合でも高精度に時間軸補正を行うことが出来る。
【００２６】
また本発明の請求項３に記載のスレッショルド演算装置を含む時間軸誤差検出装置によれば、フィールドの最終ラインのみにおいて算出された中間値を異常と判断することができるので画面上で最終ラインの映像が右に伸びることが無く、誤動作を防ぐことが出来る。
【００２７】
また本発明の請求項４に記載のスレッショルド演算装置を含む時間軸誤差検出装置によれば、ペデスタル平均値とシンクチップ平均値の差分値で異常か正常かの判断をするので弱電界時等により入力される映像信号が白浮き状態になりシンクチップ部分が持ち上がったような信号においてもフィールドの最終ラインのみにおいて算出された中間値を異常と判断することが出来るので画面上で最終ラインの映像が右に伸びることが無く、誤動作を防ぐことが出来る。
【００２８】
また本発明の請求項５に記載のスレッショルド演算装置を含む時間軸誤差検出装置によれば、例えば著作権情報等によりペデスタル部分に信号が重畳された映像信号が入力された場合もフィールドの最終ラインで算出された中間値を異常と判断することが出来るので画面上で最終ラインの映像が右に伸びることが無く、誤動作を防ぐことが出来る。
【００２９】
また本発明の請求項６に記載のスレッショルド演算装置を含む時間軸誤差検出装置によれば、入力される映像信号が弱電界時等により白浮き状態や著作権情報等によりペデスタル部分に信号が重畳された場合でもフィールドの最終ラインで算出された中間値を異常と判断することが出来るので画面上で最終ラインの映像が右に伸びることが無く、誤動作を防ぐことが出来る。
【発明を実施するための最良の形態】
【００３０】
以下、本発明の各実施の形態を図１〜図９に基づいて説明する。
なお、上記従来の時間軸誤差検出装置と同様の回路は同じ番号を付けて説明する。
（実施の形態１）
図１と図２は本発明の（実施の形態１）を示す。
【００３１】
図１は（実施の形態１）にかかるスレッショルド演算装置を示し、誤判別防止回路２０２と除算回路１０６の出力側に１Ｈ保持回路１０７と選択回路１０８とが追加されている点が図１２に示した従来例とは異なっている。
【００３２】
ディジタル映像信号入力端子５０から入力されたディジタル映像信号は、ペデスタル平均値算出回路１０３とシンクチップ平均値算出回路１０４に入力されている。水平同期検出信号入力端子５１に入力された水平同期検出信号は、ペデスタルウインドウ生成回路１０１とシンクチップウインドウ生成回路１０２に入力されている。ペデスタルウインドウ生成回路１０１の出力信号はペデスタル平均値算出回路１０３に供給されている。
【００３３】
ペデスタル平均値算出回路１０３は、ペデスタルウインドウ生成回路１０１から供給されたペデスタルウインドウ信号部分においてディジタル映像信号のペデスタル値の平均値を出力する。
【００３４】
シンクチップウインドウ生成回路１０２から出力されたシンクチップウインドウ信号は、シンクチップ平均値算出回路１０４に供給されている。
シンクチップ平均値算出回路１０４は、シンクチップウインドウ生成回路１０２から出力されたシンクチップウインドウ信号部分においてディジタル映像信号のシンクチップ値の平均値を出力する。
【００３５】
ペデスタル平均値算出回路１０３の出力とシンクチップ平均値算出回路１０４の出力は、加算回路１０５を経て除算回路１０６を経て、ペデスタル部平均値とシンクチップ部平均値の中間値を算出し、さらに、この除算回路１０６の出力は１Ｈ保持回路１０７を介して選択回路１０８の一方の入力端子に供給し、また、除算回路１０６の出力は選択回路１０８の他方の入力端子に直接供給されている。選択回路１０８の出力信号を選択する制御信号は誤判別防止回路２０２から出力されている。
【００３６】
誤判別防止回路２０２は、第１の判定回路１１５と第１の所定値１１６で構成されており、第１の判定回路１１５は第１の所定値１１６と前記シンクチップ平均値算出回路１０４の出力とを比較して前記選択回路１０８の出力信号を選択する制御信号としている。
【００３７】
上記の構成を、動作に基づいてさらに詳しく説明する。
通常の映像信号が入力された場合、図１３にあるようにシンクチップ平均値算出回路１０４から出力されるシンクチップ平均値はＳｔである。第１の所定値１１６を正常のシンクチップ値より大きい値、例えば（Ｓｔ＋Ｓｙｎｃ×０．２５）、に設定した場合には第１の判定回路１１５は第１の所定値１１６より小さいと判定して「Ｌｏｗ」を出力する。
【００３８】
次にフィールドの最終ラインの映像信号が入力された場合の動作を、図２を参照して説明する。
図２はフィールドの最終ライン映像信号後の等価パルス部分におけるシンクチップウインドウ信号とペデスタルウインドウ信号の状態を示している。
【００３９】
前述のようにシンクチップウインドウ信号は水平同期検出信号の立ち上がりエッジ位置を基準にウインドウが開き、ペデスタルウインドウ信号は水平同期検出信号の立下りエッジ位置を基準にウインドウが開くように動作する。このときシンクチップウインドウ信号は図２のように等価パルスの立ち上がり部分にウインドウが開くようになるため、シンクチップ平均化算回路１０４で算出されるシンクチップ平均値は、本来のシンクチップ値Ｓｔよりも大きな値、例えば（Ｓｔ＋Ｓｙｎｃ・０．５）となる。これにより第１の所定値１１６を（Ｓｔ＋Ｓｙｎｃ・０．２５）とすると第１の判定回路１１５ではシンクチップ平均値算出回路１０４から出力されるシンクチップ平均値は第１の所定値１１６よりも大きいと判定して「Ｈｉｇｈ」を出力する。
【００４０】
選択回路１０８は、第１の判定回路１１５の出力が「Ｈｉｇｈ」の場合に１Ｈ前に算出された中間値を保持している１Ｈ保持回路１０７の出力信号を選択して図１０に示した時間軸誤差演算回路５２にスレッショルドレベルＳＬを出力し、「Ｌｏｗ」の場合には除算回路１０６の出力信号を選択して時間軸誤差演算回路５２にスレッショルドレベルＳＬを出力する。
【００４１】
つまり、通常の映像信号が入力されているときは現在のラインで算出された中間値が選択され、フィールドの最終ラインの映像信号が入力された場合は１Ｈ前に算出された中間値が選択される。
【００４２】
１Ｈ前に算出された中間値は現在のラインで本来算出されるべき中間値とほぼ同じと考えることができ、選択回路１０８の出力をスレッショルド値として時間軸誤差検出回路を動作させることが出来るので、フィールドの最終ラインにおいても映像が右に伸びることが無く、誤動作を防ぐことができる。
【００４３】
このように、本実施の形態１にかかるスレッショルド演算装置によれば、第１の判定回路１１５において算出されたシンクチップ平均値を第１の所定値１１６と大小比較することによりフィールドの最終ラインの誤動作を検出することが出来、選択回路１０８で１Ｈ前の中間値を選択することにより映像が右に伸びることが無く誤動作を防ぐことが出来る。
【００４４】
（実施の形態２）
図３は本発明の（実施の形態２）にかかるスレッショルド演算装置を示す。
（実施の形態１）の誤差判別防止回路２０２は、シンクチップ平均値算出回路１０４の出力信号を入力信号として選択回路１０８を制御したが、この（実施の形態２）の誤差判別防止回路２００では、ペデスタル平均値算出回路１０３の出力信号とシンクチップ平均値算出回路１０４の出力信号を入力信号として選択回路１０８を制御するように構成されている点だけが、（実施の形態１）とは異なっている。
【００４５】
誤差判別防止回路２００は、ペデスタル平均値算出回路１０３の出力信号とシンクチップ平均値算出回路１０４の出力信号との差を算出する減算回路１０９と、減算回路１０９の出力の絶対値を算出する絶対値回路１１０と、絶対値回路１１０の出力の大きさを第２の所定値１１２を基準に判定する第２の判定回路１１１とで構成されており、選択回路１０８は第２の判定回路１１１の出力に基づいて制御されている。
【００４６】
具体的には、第２の判定回路１１１は、第２の所定値１１２と比較して絶対値回路１１０の出力が第２の所定値１１２より小さい場合は「Ｈｉｇｈ」を出力して大きい場合は「Ｌｏｗ」を出力する。
【００４７】
通常の映像信号が入力された場合、シンクチップ平均値算出回路１０４から出力されるシンクチップ平均値はＳｔでありペデスタル平均値算出回路１０３から出力されるペデスタル平均値はＰｄであり、差分の絶対値である絶対値回路１１０の出力値はＳｙｎｃである。このとき第２の所定値を正常のペデスタル値とシンクチップ値の差分値Ｓｙｎｃより小さい値、例えば（Ｓｙｎｃ×０．６）に設定した場合には
絶対値回路１１０の出力値  ＞  第２の所定値１１２
となり、第２の判定回路１１１は「Ｌｏｗ」を出力する。
【００４８】
次にフィールドの最終ラインの映像信号が入力された場合、ペデスタル平均値算出回路１０３から出力されるペデスタル平均値はＰｄであるがシンクチップ平均値算出回路１０４から出力されるシンクチップ平均値は図２にあるようにシンクチップウインドウ生成回路１０２から出力されるシンクチップウインドウ信号が入力映像信号の等価パルスの立ち上がり部分に発生する。そのためシンクチップ平均値算出回路１０４から出力されるシンクチップ平均値は例えば、（Ｓｔ＋Ｓｙｎｃ×０．５）になる。更に絶対値回路１１０の出力信号は、
【００４９】
【数１】
2006140540.tif 000003
【００５０】
となり、第２の所定値である（Ｓｙｎｃ×０．６）よりも小さくなる。これにより第２の判定回路１１１は「Ｈｉｇｈ」を出力する。
選択回路１０８では通常の映像信号が入力されているときは１Ｈ前に算出された中間値を保持している１Ｈ保持回路１０７の出力信号を選択し、フィールドの最終ラインの映像信号が入力された場合には除算回路１０６の出力信号を選択する。これによりフィールドの最終ラインにおいても映像が右に伸びることが無く、誤動作を防ぐことが出来る。
【００５１】
また入力される映像信号が、例えば弱電界時等により図４のように白浮き状態になりシンクチップ部分、ペデスタル部分が持ち上がったような信号になる場合がある。この場合でもペデスタル平均値とシンクチップ平均値の差分値を求めて第２の所定値１１２と比較判定をするので白浮き状態の影響を受けにくくなる。そのため最終ラインのみにおいて算出された中間値を異常と判断することができ、選択回路１０８で１Ｈ前の中間値を選択することにより映像が右に伸びることが無く誤動作を防ぐことが出来る。
【００５２】
（実施の形態３）
図５は本発明の（実施の形態３）にかかるスレッショルド演算装置を示す。
映像信号として、例えばフィールドの最終ラインのペデスタル部にノイズ等によりペデスタル部が持ち上がったものが入力される場合があり、（実施の形態３）の誤差判別防止回路２０１では、このような入力信号に対しても誤動作防止を行ったものである。
【００５３】
誤差判別防止回路２０１は、（実施の形態２）における誤差判別防止回路２００に第３の判定回路１１３と論理回路１２０を追加したものである。具体的には、第３の判定回路１１３は絶対値回路１１０の出力の大きさを第３の所定値１１４を基準に比較するものである。第２の判定回路１１１の出力と第３の判定回路１１３の出力とは、論理和の論理回路１２０を介して選択回路１０８の制御信号としている。
【００５４】
具体的には、第３の判定回路１１３は、第３の所定値１１４と比較して絶対値回路１１０から出力される信号が第３の所定値１１４より大きい場合は「Ｈｉｇｈ」を出力して小さい場合は「Ｌｏｗ」を出力するものである。
【００５５】
フィールドの最終ラインのペデスタル部が持ち上がった信号では、ペデスタル平均値算出回路１０３から出力されるペデスタル平均値はＰｄより大きい、例えば（Ｐｄ＋Ｓｙｎｃ×0.３）のようになる。この時絶対値回路１１０の出力信号は、
【００５６】
【数２】
2006140540.tif 000004
【００５７】
となる。このとき、第２の判定回路では絶対値回路１１０の出力信号が第２の所定値である（Ｓｙｎｃ×０．６）よりも大きくなるために「Ｌｏｗ」を出力する。しかし第３の判定回路３において、第３の所定値１１４を例えば（Ｓｙｎｃ×０．７）とすると絶対値回路１１０の出力信号は第３の所定値１１４よりも大きいために「Ｈｉｇｈ」を出力する。更に論理回路１２０は第２の判定回路１１１の出力と第３の判定回路１１３の出力の論理和をとるので選択回路１０８には「Ｈｉｇｈ」が出力される。
【００５８】
この（実施の形態３）の構成によれば、（実施の形態２）にかかるスレッショルド演算装置のように、第２の判定回路１１１において、ペデスタル平均値とシンクチップ平均値の差分の絶対値を第２の所定値１１２と大小比較することにより白浮き状態の映像信号においてもフィールドの最終ラインの誤動作を判定することが出来、選択回路１０８で１Ｈ前の中間値を選択することにより映像が右に伸びることが無く誤動作を防ぐことが出来るだけでなく、更に第３の判定回路１１２、第３の所定値１１３を用いて、第２の判定回路１１１の出力と第３の判定回路１１３の出力の論理和をとることにより、ペデスタル部が持ち上がった信号が入力された場合においても誤動作を防ぐことが出来る。
【００５９】
（実施の形態４）
図６は本（実施の形態４）にかかるスレッショルド演算装置を示し、図５に示した（実施の形態３）と図１に示した（実施の形態１）とを組み合わせたもので、論理和の論理回路１２０の出力と第１の判定回路１１５の出力との論理積を論理回路１２１で検出して、これを前記選択回路１０８の制御信号としている。
【００６０】
入力される映像信号には、例えば著作権情報が付加された場合にはペデスタル部にパルス状の信号が重畳されているものがある。図７は著作権情報が付加された映像信号の一例を示している。図７では、フィールドの最後の３ラインと等価パルス部分のペデスタル部分に輝度の大きいパルス信号が重畳されている。本（実施の形態４）はこのような入力信号に対しての時間軸誤差検出装置の誤動作を防止するものである。
【００６１】
図６では、減算回路１０９でペデスタル平均値とシンクチップ平均値との差分をとり、更に絶対値回路１１０で前記減算回路１０９から出力される差分値の絶対値を出力する。第２の判定回路１１１は、第２の所定値１１２と比較して絶対値が第２の所定値１１２より小さい場合は「Ｈｉｇｈ」を出力して大きい場合は「Ｌｏｗ」を出力する。また第３の判定回路１１３は、第３の所定値１１４と比較して絶対値が第３の所定値１１４より大きい場合は「Ｈｉｇｈ」を出力して小さい場合は「Ｌｏｗ」を出力する。また第１の判定回路１１５は、第1の所定値１１６と比較してシンクチップ平均値算出回路１０４から出力されるシンクチップ平均値が大きい場合は「Ｈｉｇｈ」を出力して小さい場合は「Ｌｏｗ」を出力する。
【００６２】
図７においてフィールドの最終ライン1)の映像信号が入力された場合、ペデスタルウインドウ信号とシンクチップウインドウ信号はそれぞれ図８のようになる。そのためシンクチップ平均値算出回路１０４から出力されるシンクチップ平均値は例えば（Ｓｔ＋Ｓｙｎｃ×０．５）であり、ペデスタル平均値算出回路１０３から出力されるペデスタル平均値は（Ｐｄ＋Ｓｙｎｃ×0.３）であり、差分の絶対値である絶対値回路１１０の出力値は
【００６３】
【数３】
2006140540.tif 000005
【００６４】
である。このとき第２の所定値を例えば（Ｓｙｎｃ×０．６）、第３の所定値を例えば（Ｓｙｎｃ×０．７）、第１の所定値を例えば（Ｓｔ＋Ｓｙｎｃ×０．２５）とすると、論理回路１２１から出力される信号は「Ｈｉｇｈ」になる。
【００６５】
選択回路１０８では１Ｈ保持回路１０７の出力が選択されるため、フィールドの最終ラインでは時間軸誤差検出装置の誤動作は発生しない。
次に図７において通常ライン信号2)の映像信号が入力された場合、ペデスタルウインドウ信号とシンクチップウインドウ信号はそれぞれ図９のようになる。そのためシンクチップ平均値算出回路１０４から出力されるシンクチップ平均値は例えばＳｔであり、ペデスタル平均値算出回路１０３から出力されるペデスタル平均値は（Ｐｄ＋Ｓｙｎｃ×0.５）であり、差分の絶対値である絶対値回路１１０の出力値は
【００６６】
【数４】
2006140540.tif 000006
【００６７】
である。このとき第２の所定値を例えば（Ｓｙｎｃ×０．６）、第３の所定値を例えば（Ｓｙｎｃ×０．７）、第１の所定値を例えば（Ｓｔ＋Ｓｙｎｃ×０．２５）とすると、論理回路１２１から出力される信号は「Ｌｏｗ」になる。
【００６８】
選択回路１０８では除算回路１０６の出力が選択されるため、通常ライン2)では時間軸誤差検出装置は正常に動作する。
この（実施の形態４）にかかるスレッショルド演算装置によれば、ペデスタル平均値とシンクチップ平均値の差分の絶対値を第２の判定回路１１１と第３の判定回路１１４において大小比較して、シンクチップ平均値を第１の判定回路１１５と大小比較することにより、例えば著作権情報が付加されてペデスタル部にパルス状の信号が重畳されている映像信号が入力された場合でもフィールドの最終ラインの誤動作を判定することが出来、選択回路１０８で１Ｈ前の中間値を選択することにより映像が右に伸びることが無く誤動作を防ぐことが出来る。
【産業上の利用可能性】
【００６９】
本発明にかかるスレッショルド演算装置を含む時間軸誤差検出回路は、水平同期信号の立ち上がりエッジを用いたベロシティーエラー補正として有用である。
【図面の簡単な説明】
【００７０】
【図１】本発明の（実施の形態１）によるスレッショルド演算装置を示す構成図
【図２】従来のスレッショルド演算装置のフィールドの最終ラインでの動作を示す図
【図３】本発明の（実施の形態２）によるスレッショルド演算装置を示す構成図
【図４】同実施の形態によるスレッショルド演算装置のフィールドの最終ラインでの動作を示す図
【図５】本発明の（実施の形態３）によるノイズ耐性を向上したスレッショルド演算装置を示す構成図
【図６】本発明の（実施の形態４）によるスレッショルド演算装置を示す構成図
【図７】付加情報パルスが重畳されている映像信号波形を示す図
【図８】同実施の形態によるスレッショルド演算装置のフィールドの最終ラインでの動作を示す図
【図９】同実施の形態によるスレッショルド演算装置のフィールドの通常ラインでの動作を示す図
【図１０】時間軸補正装置を示す構成図
【図１１】時間軸補正装置の動作を示す図
【図１２】従来のスレッショルド演算装置を示す構成図
【図１３】従来のスレッショルド演算装置の動作を示す図
【図１４】時間軸補正装置のフィールドの最終ラインでの動作を示す図
【符号の説明】
【００７１】
５０    ディジタル映像信号入力端子
５１    水平同期検出信号入力端子
１０１    ペデスタルウインドウ生成回路
１０２    シンクチップウインドウ生成回路
１０３    ペデスタル平均値算出回路
１０４    シンクチップ平均値算出回路
１０５    加算回路
１０６    除算回路
１０７    １H保持回路
１０８    選択回路
１０９    減算回路
１１０    絶対値回路
１１５    第１の判定回路
１１１    第２の判定回路
１１３    第３の判定回路
１１６    第１の所定値
１１２    第２の所定値
１１４    第３の所定値
１２０，１２１    論理回路
２００，２０１，２０２，２０３    誤検出防止回路
【図１】
2006140540.tif 000007
【図２】
2006140540.tif 000008
【図３】
2006140540.tif 000009
【図４】
2006140540.tif 000010
【図５】
2006140540.tif 000011
【図６】
2006140540.tif 000012
【図７】
2006140540.tif 000013
【図８】
2006140540.tif 000014
【図９】
2006140540.tif 000015
【図１０】
2006140540.tif 000016
【図１１】
2006140540.tif 000017
【図１２】
2006140540.tif 000018
【図１３】
2006140540.tif 000019
【図１４】
2006140540.tif 000020